(57)【特許請求の範囲】
【請求項１】
矩形状の枠体に繊維強化シートが張設されたパネルと、
天井面に延設されて前記パネルを吊り下げる天井レールと、
前記天井レールに対して前記パネルを着脱可能に取り付ける取付部材と、
を有するパネル着脱式防煙垂壁であって、
前記取付部材は、前記パネルの上端部に固定される固定部と、前記パネルの表裏面に配置されて前記パネルから離間する方向に傾斜しながら前記固定部から下方に延びる一対の支持部と、を備え、
前記天井レールは、天井に固定される固定部と、前記固定部から下方に延びて前記パネルの上端部が挿入される挿入空間を形成する一対の対向する側壁部と、前記側壁部の下端部から対向する他方の前記側壁部に向けて突出し、前記パネルの上端部が前記挿入空間に挿入された際に前記一対の支持部が係止される一対の対向する下側突出部と、前記下側突出部よりも上方において前記側壁部から対向する他方の前記側壁部に向けて突出する一対の対向する上側突出部と、を備え、
一対の対向する前記上側突出部の離間幅が、前記パネルの厚みよりも広く、且つ、一対の対向する前記下側突出部の離間幅よりも狭く、
前記取付部材は、弾性を有し、前記固定部に対する前記一対の支持部の屈曲角度を変化させることが可能であり、
前記一対の支持部の離間幅は、前記一対の支持部の下端縁の離間幅が最大であり、
前記一対の側壁部の離間幅は、前記取付部材が弾性変形していない自然状態における前記一対の支持部の下端縁の離間幅より狭く、
前記一対の支持部の下端縁は、前記一対の側壁部に当接されており、
前記下側突出部から前記上側突出部までの離間高さは、前記支持部の高さよりも高いことを特徴とする、パネル着脱式防煙垂壁。
【請求項２】
前記支持部は、前記パネルの全長にわたっている、
請求項１に記載のパネル着脱式防煙垂壁。
【請求項３】
前記パネルの側方に配置されて前記パネルを支持する方立を更に有する、
請求項１又は２に記載のパネル着脱式防煙垂壁。
【請求項４】
請求項３に記載のパネル着脱式防煙垂壁において前記天井レールから前記パネルを取り外すパネル着脱式防煙垂壁のパネル取り外し方法であって、
前記方立を取り外して前記パネルの側方に空間を形成し、
前記パネルを傾かせて前記パネルの一方側を上昇させることで、前記パネルの上端部を前記一対の上側突出部の間に挿入して、前記一対の支持部を前記一対の上側突出部に挟み込まして閉じるように前記パネルに近接させ、
前記パネルを反対側に傾かせて前記パネルの一方側を上昇させた状態で前記パネルの他方側を下降させることで、前記一対の支持部の一部を前記一対の下側突出部から引き出し、
この状態で前記パネルを下降させることで、前記天井レールから前記パネルを取り外すことを特徴とする、
パネル着脱式防煙垂壁のパネル取り外し方法。
【発明の詳細な説明】
【技術分野】
【０００１】
この発明は、火災時などに発生する煙の流動を一時的に遮断する防煙垂壁に関する。
【背景技術】
【０００２】
従来から、オフィスビル、ショッピングモールなどの建築物の天井には防煙垂壁が設けられており、通常、この防煙垂壁には、視界の妨げとならないようにガラス板が使用されている。このようなガラス板を使用した防煙垂壁では、下方に開口された断面略コ字状の天井レールを天井に延設し、天井レールの内側側面にガラス板の上端部を嵌合させてガラス板を天井レールに吊り下げ、天井レールに方立を吊り下げ固定し、この方立の下端部に下側支持部材を取り付けて、この下側支持部材でガラス板を下方から支持する方式などが一般的である（例えば、特許文献１参照）。
【先行技術文献】
【特許文献】
【０００３】
【特許文献１】特開平１１−０７６４４２号公報
【特許文献２】特開２００８−２２０４５３号公報
【発明の概要】
【発明が解決しようとする課題】
【０００４】
しかしながら、特許文献１に記載の防煙垂壁では、ガラス板が重く、天井レールに対するガラス板の嵌合構造が複雑であることから、防煙垂壁を敷設した後は、汚れたガラス板を掃除する際やガラス板が破損した際にガラス板を交換するのが面倒であるという問題がある。また、ガラス板が破損した場合は、破損したガラス板で怪我をしないように注意する必要もある。しかも、特許文献１に記載の防煙垂壁では、ガラス板を天井レールから取り外す際は、ガラス板に取り付けた固定部材を切断する必要があるため、天井レールから取り外したガラス板の固定部材を再使用できないという問題もある。
【０００５】
そこで、特許文献２では、重いガラス板に代えて、矩形の枠体にガラス繊維強化樹脂シートを張ったパネルを防煙垂壁に用い、防煙垂壁の軽量化を図ることが考えられている。しかしながら、特許文献２に記載の防煙垂壁は、部品点数が多く、これらの部品を取り付ける工程も多いため、パネルの取り付け及び取り外しの簡易化の観点からは、依然、改善の余地がある。
【０００６】
そこで、本発明は、パネルの取り付け及び取り外しを容易に行うことができるパネル着脱式防煙垂壁及びパネル着脱式防煙垂壁のパネル取り外し方法を提供することを目的とする。
【課題を解決するための手段】
【０００７】
本発明に係るパネル着脱式防煙垂壁は、矩形状の枠体に繊維強化シートが張設されたパネルと、天井面に延設されてパネルを吊り下げる天井レールと、天井レールに対してパネルを着脱可能に取り付ける取付部材と、を有するパネル着脱式防煙垂壁であって、取付部材は、パネルの表裏面に配置されてパネルから離間する方向に傾斜しながらパネルの上端部から下方に延びる一対の支持部を備え、天井レールは、天井に固定される固定部と、固定部から下方に延びてパネルの上端部が挿入される挿入空間を形成する一対の対向する側壁部と、側壁部の下端部から対向する他方の側壁部に向けて突出し、パネルの上端部が挿入空間に挿入された際に一対の支持部が係止される一対の対向する下側突出部と、下側突出部よりも上方において側壁部から対向する他方の側壁部に向けて突出する一対の対向する上側突出部と、を備え、一対の対向する上側突出部の離間幅が、パネルの厚みよりも広く、且つ、一対の対向する下側突出部の離間幅よりも狭いことを特徴とする。
【０００８】
本発明に係るパネル着脱式防煙垂壁では、一対の支持部が、パネルに対して開くようにパネルから離間する方向に傾斜しながらパネルの上端部から下方に延びているため、天井レールに形成された一対の下側突出部の間にパネルを挿入すると、一対の支持部が一対の下側突出部に係止されて、パネルが天井レールに吊り下げられる。これにより、パネルを天井レールに取り付けることができる。
【０００９】
一方、一対の上側突出部の離間幅が、パネルの厚みよりも広く、且つ、一対の下側突出部の離間幅よりも狭いため、天井レールに取り付けられたパネルの一方側を上昇させると、パネルの一部が一対の上側突出部の間に挿入されるとともに、一対の支持部が一対の上側突出部に挟み込まれて閉じるようにパネルに近接される。このため、パネルの一方側を上昇させた状態でパネルの他方側を下降させることで、一対の支持部の一部が一対の下側突出から引き出され、更にパネルを下降させることで、パネル及び取付部材の全体を天井レールから取り外すことができる。
【００１０】
このように、本発明によれば、一対の支持部を備える取付部材をパネルに取り付けるとともに天井レールに一対の下側突出部及び一対の上側突出部を形成するという簡易な構成で、天井レールに対するパネルの取り付け及び取り外しを容易に行うことができる。
【００１１】
また、本発明は、支持部が、パネルの全長にわたっているものとすることができる。このように、支持部をパネルの全長にわたらせることで、パネル着脱式防煙垂壁から煙が漏れ出すのを防止することができる。
【００１２】
また、本発明は、パネルの側方に配置されてパネルを支持する方立を更に有するものとすることができる。天井レールからパネルを取り外す際は、パネルを傾かせる必要があるが、このように、パネルの側方に方立を設けておけば、方立を取り外すことで、パネルを傾かせる空間を確保することができる。
【００１３】
本発明に係るパネル着脱式防煙垂壁のパネル取り外し方法は、上記に記載のパネル着脱式防煙垂壁において天井レールからパネルを取り外すパネル着脱式防煙垂壁のパネル取り外し方法であって、方立を取り外してパネルの側方に空間を形成し、パネルを傾かせてパネルの一方側を上昇させることで、パネルの上端部を一対の上側突出部の間に挿入して、一対の支持部を一対の上側突出部に挟み込まして閉じるようにパネルに近接させ、パネルを反対側に傾かせてパネルの一方側を上昇させた状態でパネルの他方側を下降させることで、一対の支持部の一部を一対の下側突出から引き出し、この状態でパネルを下降させることで、天井レールからパネルを取り外すことを特徴とする。
【００１４】
このようにすれば、パネル着脱式防煙垂壁を天井面に設置した後に、天井レールからパネルを容易に取り外すことができる。
【発明の効果】
【００１５】
本発明によれば、パネルの取り付け及び取り外しを容易に行うことができる。
【図面の簡単な説明】
【００１６】
【図１】実施形態に係るパネル着脱式防煙垂壁を示す正面図である。
【図２】着脱式防煙垂壁の一部を示す側面図である。
【図３】パネルの斜視図である。
【図４】（ａ）は天井レールの縦断面図であり、（ｂ）はパネルの一部縦断面図である。
【図５】天井レールに対するパネルの取り付け機構を説明するための図である。
【図６】天井レールに対するパネルの取り外し機構を説明するための図である。
【図７】天井レールに対するパネルの取り外し機構を説明するための図である。
【発明を実施するための形態】
【００１７】
以下、図面を参照して、本発明に係るパネル着脱式防煙垂壁及びパネル着脱式防煙垂壁のパネル取り外し方法の好適な実施形態について詳細に説明する。なお、全図中、同一または相当部分には同一符号を付し、重複する説明を省略する。
【００１８】
図１は、実施形態に係るパネル着脱式防煙垂壁を示す正面図であり、図２は、着脱式防煙垂壁の一部を示す側面図である。図１及び図２に示すように、本実施形態に係るパネル着脱式防煙垂壁１は、パネル２と、天井面Ｃに延設されてパネル２を吊り下げる天井レール３と、壁面Ｗ１又は壁面Ｗ２とパネル２との間に配置されて天井レール３から垂下される端部方立４と、隣接するパネル２の間に配置されて天井レール３から垂下される中間方立５と、端部方立４及び中間方立５の下端部に固定されてパネル２を下方から支持する下側支持部材６と、を備えている。なお、以下の説明において、パネル着脱式防煙垂壁１が延設される水平方向をＸ方向、パネル２が吊り下げられる垂直方向をＺ方向、Ｘ方向及びＺ方向に直交する方向であってパネル２の厚み方向をＹ方向という。
【００１９】
図３は、パネルの斜視図であり、図４（ｂ）は、パネルの一部縦断面図である。図３及び図４（ｂ）に示すように、パネル２は、内側枠体２１と、外側枠体２２と、ガラス繊維強化樹脂シート２３と、を有するパネル本体２ａと、パネル本体２ａを天井レール３に対して着脱可能に取り付ける取付部材２ｂと、を備えている。
【００２０】
内側枠体２１は、ガラス繊維強化樹脂シート２３を張設するための部材である。内側枠体２１は、四辺を有する矩形枠状に形成されており、内側枠体２１を構成する各辺の断面は、それぞれ矩形に形成されている。内側枠体２１の上端面には、取付部材２ｂを固定するためのネジ２５が捩じ込まれる１又は複数のネジ穴が形成されている。なお、内側枠体２１の素材は、ガラス繊維強化樹脂シート２３を張設した状態を保持できる剛性を有する素材であれば如何なる素材であってもよく、例えば、アルミや樹脂などを用いることができる。
【００２１】
外側枠体２２は、ガラス繊維強化樹脂シート２３を張設するための部材である。外側枠体２２は、四辺を有する矩形枠状に形成されており、外側枠体２２を構成する各辺の断面は、内部に内側枠体２１を嵌め込めるように、内側に向けて開口した断面略コ字状に形成されている。外側枠体２２の上端面には、取付部材２ｂを固定するためのネジ２５が捩じ込まれる１又は複数のネジ穴が形成されている。なお、外側枠体２２の素材は、ガラス繊維強化樹脂シート２３を張設した状態を保持できる剛性を有する素材であれば如何なる素材であってもよく、例えば、アルミや樹脂などを用いることができる。
【００２２】
ガラス繊維強化樹脂シート２３は、矩形のシート状に形成されて、内側枠体２１及び外側枠体２２に張設されている。ガラス繊維強化樹脂シート２３の内側枠体２１及び外側枠体２２に対する張設は、如何なる手段で行ってもよい。例えば、ガラス繊維強化樹脂シート２３を内側枠体２１に一方の面（例えば、Ｙ方向において前側の面）から巻き付け、更に、この内側枠体２１を外側枠体２２に嵌め込んでガラス繊維強化樹脂シート２３を内側枠体２１と外側枠体２２との間に挟み込むことにより、内側枠体２１及び外側枠体２２にガラス繊維強化樹脂シート２３を張設することができる。なお、パネルの枠体は、必ずしも内側枠体及び外側枠体の二部材で構成する必要は無く、例えば、一つの枠体のみで構成してもよい。また、枠体に対するガラス繊維強化樹脂シートの張設は、必ずしも内側枠体と外側枠体との間に挟み込むことにより行う必要は無く、例えば、枠体に接着することにより、枠体にガラス繊維強化樹脂シート２３を張設してもよい。
【００２３】
このガラス繊維強化樹脂シート２３は、不燃性及び可撓性を有しており、ガラス繊維織物と、このガラス繊維織物に樹脂を含浸及び硬化させた樹脂被覆層と、により構成される。ガラス繊維織物の織組織は、平織、朱子織、綾織、斜子織、畦織などが挙げられる。ガラス繊維強化シートを構成する樹脂被覆層を構成する樹脂は、ビニルエステル樹脂、不飽和ポリエステル樹脂、フェノール樹脂などが挙げられる。なお、樹脂被覆層として、上記樹脂に、難燃剤、紫外線吸収剤、充填剤、帯電防止剤などの添加物を含めるのが好ましい。また、ガラス繊維強化樹脂シート２３は、不燃性及び剛性を向上させるため、以下のものであることが好ましい。すなわち、ガラス繊維織物を構成するガラス繊維糸の番手は、５〜７０ｔｅｘが好ましく、１０〜３５ｔｅｘが更に好ましい。また、ガラス繊維糸に含まれるフィラメント（ガラス繊維）の直径は、１〜２０μｍが好ましく、３〜１２μｍが更に好ましい。また、単位面積当たりのガラス繊維織物の質量は、１０〜３００ｇ／ｍ２が好ましく、２０〜３００ｇ／ｍ２が更に好ましい。また、単位面積当たりの樹脂被覆層の質量は、１０〜５００ｇ／ｍ２が好ましい。なお、ガラス繊維織物には、ガラス繊維処理剤で表面処理するのが好ましい。
【００２４】
取付部材２ｂは、下側に向けて開口した断面略コ字状に形成されており、外側枠体２２の上端面に固定される固定部２４ａと、パネル本体２ａの一方面側（表面側）に配置されて固定部２４ａの一方端縁から下方に延びる支持部２４ｂと、パネル本体２ａの他方面側（裏面側）に配置されて固定部２４ａの他方端縁から下方に延びる支持部２４ｃと、を備えている。
【００２５】
固定部２４ａは、パネル本体２ａのＸ方向における全長にわたって外側枠体２２の上端面に沿ってＸ方向に延びており、Ｘ方向に細長い矩形の平板状に形成されている。外側枠体２２の上端面に対する固定部２４ａの固定は、如何なる手段によって行ってもよく、例えば、固定部に貫通穴を形成し、この貫通穴に挿通されたネジ２５を内側枠体２１及び外側枠体２２の上端面に形成されたネジ穴に捩じ込むことにより、外側枠体２２の上端面に固定部２４ａを固定してもよい。固定部２４ａのＹ方向における幅ａは、外側枠体２２の上端面のＹ方向における幅に支持部２４ｂ及び支持部２４ｃの厚みを加えた寸法と同じ、又は、この寸法よりも僅かに大きい寸法となっている。
【００２６】
支持部２４ｂ及び支持部２４ｃは、固定部２４ａと同様に、パネル本体２ａのＸ方向における全長にわたって延びており、Ｘ方向に細長い矩形の平板状に形成されている。支持部２４ｂ及び支持部２４ｃは、パネル本体２ａの表裏面から離間する方向に傾斜しながら固定部２４ａの一方端縁及び他方端縁から下方に延びており、パネル本体２ａに対して傘のように開いている。このため、支持部２４ｂから支持部２４ｃまでのＹ方向における幅は、下方に向かうに従い広くなっており、支持部２４ｂの下端縁から支持部２４ｃの下端縁までのＹ方向における幅ｂが、パネル２のＹ方向における最大幅となっている。
【００２７】
このように構成される取付部材２ｂは、弾性を有しており、固定部２４ａに対する支持部２４ｂ及び支持部２４ｃの屈曲角度を変化させることが可能な板バネとなっている。また、取付部材２ｂは、支持部２４ｂ及び支持部２４ｃが突っ張ってパネル２を支持できる剛性を有している。このため、取付部材２ｂは、例えば、板厚が０．１ｍｍ以上１．０ｍｍ以下として、鋼材やアルミ材などの素材を用いることができる。
【００２８】
図４（ａ）は、天井レールの縦断面図である。図４（ａ）に示すように、天井レール３は、下側に向けて開口した断面略コ字状に形成されており、天井面Ｃに固定される固定部３１と、固定部３１の一方端縁から下方に延びる側壁部３２ａと、固定部３１の他方端縁から下方に延びて側壁部３２ａと対向する側壁部３２ｂと、側壁部３２ａの下端部から側壁部３２ｂに向けて突出する下側突出部３３ａと、側壁部３２ｂの下端部から側壁部３２ａに向けて突出して下側突出部３３ａと対向する下側突出部３３ｂと、下側突出部３３ａよりも上方において側壁部３２ａから側壁部３２ｂに向けて突出する上側突出部３４ａと、下側突出部３３ｂよりも上方において側壁部３２ｂから側壁部３２ａに向けて突出して上側突出部３４ａと対向する上側突出部３４ｂと、を備えている。
【００２９】
側壁部３２ａ、下側突出部３３ａ及び上側突出部３４ａと、側壁部３２ｂ、下側突出部３３ｂ及び上側突出部３４ｂとは、線対称に形成されており、側壁部３２ａ、下側突出部３３ａ及び上側突出部３４ａと、側壁部３２ｂ、下側突出部３３ｂ及び上側突出部３４ｂとの間に、下方からパネル２の上端部が挿入される挿入空間Ｓが形成されている。
【００３０】
下側突出部３３ａと下側突出部３３ｂとのＹ方向における離間幅ｄは、取付部材２ｂが弾性変形していない自然状態における支持部２４ｂの下端縁から支持部２４ｃの下端縁までのＹ方向における幅ｂよりも狭くなっている。すなわち、これらの寸法は“ｄ＜ｂ”の関係となっている。このため、パネル２の上端部が天井レール３の挿入空間Ｓに挿入された際に、支持部２４ｂ及び支持部２４ｃを下側突出部３３ａ及び下側突出部３３ｂで係止することが可能となっている。
【００３１】
側壁部３２ａと側壁部３２ｂとのＹ方向における離間幅ｅは、取付部材２ｂが弾性変形していない自然状態における支持部２４ｂの下端縁から支持部２４ｃの下端縁までのＹ方向における幅ｂよりも狭くなっている。すなわち、これらの寸法は“ｅ＜ｂ”の関係となっている。このため、パネル２の上端部が天井レール３の挿入空間Ｓに挿入された際に、支持部２４ｂ及び支持部２４ｃが側壁部３２ａ及び側壁部３２ｂに当接されて、天井レール３に対するパネル２のＹ方向における位置決めを行うことが可能となっている。
【００３２】
上側突出部３４ａと上側突出部３４ｂとのＹ方向における離間幅ｆは、固定部２４ａのＹ方向における幅ａよりも広く、且つ、下側突出部３３ａと下側突出部３３ｂとのＹ方向における離間幅ｄよりも狭くなっている。すなわち、これらの寸法は“ａ＜ｆ＜ｄ”の関係となっている。このため、天井レール３の挿入空間Ｓに挿入されたパネル２の上端部を上側突出部３４ａと上側突出部３４ｂとの間に挿入することが可能となっている。更に、パネル２の上端部を上側突出部３４ａと上側突出部３４ｂとの間に挿入することで、支持部２４ｂ及び支持部２４ｃを上側突出部３４ａ及び上側突出部３４ｂで挟み込んで閉じるようにパネル本体２ａに近接させ、支持部２４ｂの下端縁から支持部２４ｃの下端縁までのＹ方向における幅を、下側突出部３３ａと下側突出部３３ｂとのＹ方向における離間幅ｄよりも狭くすることが可能となっている。
【００３３】
下側突出部３３ａ及び下側突出部３３ｂから上側突出部３４ａ及び上側突出部３４ｂまでのＺ方向における離間高さｇは、支持部２４ｂ及び支持部２４ｃのＺ方向における高さｃよりも高くなっている。このため、支持部２４ｂ及び支持部２４ｃが下側突出部３３ａ及び下側突出部３３ｂに係止される際に、支持部２４ｂ及び支持部２４ｃが上側突出部３４ａ及び上側突出部３４ｂに挟み込まれて閉じるのを防止することが可能となっている。
【００３４】
なお、取付部材２ｂと天井レール３の寸法関係は、上記関係を満たしていれば以下成す関係であってもよい。例えば、取付部材２ｂの寸法として、固定部２４ａのＹ方向における幅ａを５ｍｍ以上１５ｍｍ以下、支持部２４ｂ及び支持部２４ｃの長さを１０ｍｍ以上２０ｍｍ以下、パネル本体２ａに対する支持部２４ｂ及び支持部２４ｃの開き角度を１０°以上４５°以下とし、天井レール３の寸法として、側壁部３２ａと側壁部３２ｂとのＹ方向における離間幅ｅを１０ｍｍ以上３０ｍｍ以下、下側突出部３３ａと下側突出部３３ｂとのＹ方向における離間幅ｄを５．２ｍｍ以上２５ｍｍ以下、上側突出部３４ａと上側突出部３４ｂとのＹ方向における離間幅ｆを５．１ｍｍ以上２０ｍｍ以下とすることができる。
【００３５】
端部方立４は、壁面Ｗ１又は壁面Ｗ２に当接される部材であり、当接される壁面Ｗ１又は壁面Ｗ２に対向する壁面Ｗ２又は壁面Ｗ１に向けて開口した断面略コ字状に形成されている。このため、壁面Ｗ１又は壁面Ｗ２とパネル２とは、少なくとも端部方立４の厚みだけ離間しており、端部方立４にパネル２の外側枠体２２が嵌め込まれることで、当該パネル２のＹ方向における揺れを防止することが可能となっている。端部方立４の素材は、難燃性を有する素材であれば如何なる素材を用いてもよく、例えば、アルミ材が用いられる。
【００３６】
中間方立５は、隣接するパネル２の間に配置される部材であり、壁面Ｗ１及び壁面Ｗ２に向けて開口した断面略Ｈ状に形成されている。このため、隣接するパネル２は、少なくとも中間方立５の厚みだけ離間しており、中間方立５に隣接されるパネル２の外側枠体２２が嵌め込まれることで、当該パネル２のＹ方向における揺れを防止することが可能となっている。中間方立５の素材は、難燃性を有する素材であれば如何なる素材を用いてもよく、例えば、アルミ材が用いられる。
【００３７】
図１及び図２に示すように、下側支持部材６は、上側に向けて開口した断面略コ字状に形成されている。そして、下側支持部材６は、天井レール３に吊り下げられるとともに端部方立４及び中間方立５に保持されたパネル２の下端部に嵌め込み、端部方立４及び中間方立５にネジなどで固定することで、パネル２を下側から保持する。
【００３８】
次に、パネル着脱式防煙垂壁１の設置方法について説明する。図５は、天井レールに対するパネルの取り付け方法を説明するための図である。
【００３９】
まず、図５の（ａ）に示すように、天井面Ｃに天井レール３を固定すると、天井レール３の下方からパネル２を上昇させて、パネル２の上端部を、天井レール３の下側突出部３３ａと下側突出部３３ｂとの間から天井レール３の挿入空間Ｓに挿入する。すると、図５の（ｂ）に示すように、支持部２４ｂ及び支持部２４ｃが下側突出部３３ａ及び下側突出部３３ｂに挟み込まれるため、取付部材２ｂが弾性変形して、支持部２４ｂ及び支持部２４ｃが閉じるようにパネル本体２ａに近接していき、パネル２の上端部が天井レール３の挿入空間Ｓに挿入されていく。
【００４０】
そして、支持部２４ｂ及び支持部２４ｃが下側突出部３３ａ及び下側突出部３３ｂを越えるまでパネル２を上昇させると、支持部２４ｂ及び支持部２４ｃが下側突出部３３ａ及び下側突出部３３ｂの挟み込みから解放されて元の自然状態に戻る。すると、図５の（ｃ）に示すように、支持部２４ｂ及び支持部２４ｃが下側突出部３３ａ及び下側突出部３３ｂに係止されるとともに、支持部２４ｂ及び支持部２４ｃが側壁部３２ａ及び側壁部３２ｂに当接されて、天井レール３に対するパネル２のＹ方向における位置決めが行われる。
【００４１】
これにより、天井レール３に対するパネル２の取り付けが終了する。
【００４２】
そして、天井レール３に必要枚数のパネル２を取り付けると、壁面Ｗ１又は壁面Ｗ２に隣接されるパネル２の外側枠体が端部方立４に嵌め込まれるように、端部方立４を天井レール３に取り付ける。また、隣接するパネル２の外側枠体２２が中間方立５に嵌め込まれるように、中間方立５を天井レール３に取り付ける。なお、天井レール３に対するパネル２、端部方立４及び中間方立５の取り付け順序は、特に制限されるものでは無く、適宜変更することができる。
【００４３】
その後、下側支持部材６を天井レール３に吊り下げられるとともに端部方立４及び中間方立５に保持されたパネル２の下端部に嵌め込み、下側支持部材６を端部方立４及び中間方立５にネジなどで固定する。
【００４４】
これにより、パネル着脱式防煙垂壁１の設置が終了する。
【００４５】
このようにして設置されたパネル着脱式防煙垂壁１は、パネル２の支持部２４ｂ及び支持部２４ｃが側壁部３２ａ及び側壁部３２ｂに当接されるとともに、パネル２の支持部２４ｂ及び支持部２４ｃが天井レール３の下側突出部３３ａ及び下側突出部３３ｂに係止されることで、天井面Ｃに配設された天井レール３にパネル２が吊り下げられている。また、壁面Ｗ１又は壁面Ｗ２とパネル２との間に、天井レール３に取り付けられた端部方立４が配置されており、パネル２が端部方立４に挟み込まれている。また、隣接する一対のパネル２の間に、天井レール３に取り付けられた中間方立５が配置されており、この隣接する一対のパネル２が中間方立５に挟み込まれている。そして、端部方立４及び中間方立５に固定された下側支持部材６によりパネル２が下方から支持されている。
【００４６】
次に、パネル着脱式防煙垂壁１を設置した後に、天井レール３からパネル２を取り外す方法について説明する。図６は、天井レールに対するパネルの取り外し方法を説明するための図であり、図７は、天井レールに対するパネルの取り外し方法を説明するための図である。
【００４７】
まず、下側支持部材６を、パネル２、端部方立４及び中間方立５から取り外す。次に、端部方立４及び中間方立５のうち、天井レール３から取り外すパネル２の壁面Ｗ１及び壁面Ｗ２側に隣接される二本の方立を天井レール３から取り外す。
【００４８】
すると、壁面Ｗ１又は壁面Ｗ２に隣接されるパネル２を天井レール３から取り外す場合は、天井レール３から取り外すパネル２と壁面Ｗ１又は壁面Ｗ２との間に、少なくとも、端部方立４の厚みに相当する空間が形成され、天井レール３から取り外すパネル２とこのパネル２に隣接するパネル２との間に、少なくとも、中間方立５の厚みに相当する空間が形成される。一方、壁面Ｗ１又は壁面Ｗ２に隣接されないパネル２を天井レール３から取り外す場合は、天井レール３から取り外すパネル２とこのパネル２に隣接する各パネル２との間に、少なくとも、中間方立５の厚みに相当する空間が形成される。
【００４９】
次に、図６の（ａ）に示すように、パネル２を傾かせることによりパネル２の一方側を上昇させる。すると、図７の（ａ）に示すように、上昇されたパネル２の一方側の上端部が上側突出部３４ａと上側突出部３４ｂとの間に挿入される。そして、上昇されたパネル２の一方側に配置される支持部２４ｂ及び支持部２４ｃの一部が上側突出部３４ａ及び上側突出部３４ｂに挟み込まれるため、取付部材２ｂが弾性変形して、支持部２４ｂ及び支持部２４ｃが閉じるようにパネル本体２ａに近接していき、パネル２の上端部が上側突出部３４ａと上側突出部３４ｂとの間に挿入されていく。このとき、図７の（ｂ）に示すように、上昇されなかったパネル２の他方側に配置される支持部２４ｂ及び支持部２４ｃの部分も、上昇されたパネル２の一方側に配置される支持部２４ｂ及び支持部２４ｃの一部と同様に、取付部材２ｂが弾性変形して、支持部２４ｂ及び支持部２４ｃが閉じるようにパネル本体２ａに近接していく。これにより、取付部材２ｂのＸ方向における全長において、支持部２４ｂの下端縁から支持部２４ｃの下端縁までのＹ方向における幅が、Ｘ方向における全長において、下側突出部３３ａと下側突出部３３ｂとのＹ方向における離間幅ｄよりも狭くなる。
【００５０】
次に、図６の（ｂ）に示すように、パネル２を反対側に傾かせることによりパネル２の他方側を下降させる。すると、図７の（ｃ）に示すように、下降されたパネル２の他方側に配置される支持部２４ｂ及び支持部２４ｃの一部が、下側突出部３３ａと下側突出部３３ｂとの間から下方に引き出される。このため、この状態でパネル２全体を下降させることで、取付部材２ｂの全てが下側突出部３３ａと下側突出部３３ｂとの間から下方に引き出される。
【００５１】
これにより、天井レール３に対するパネル２の取り外しが終了する。
【００５２】
このように、本実施形態によれば、一対の支持部２４ｂ及び支持部２４ｃを備える取付部材２ｂをパネル本体２ａに取り付けるとともに、天井レール３に一対の下側突出部３３ａ及び下側突出部３３ｂと一対の上側突出部３４ａ及び上側突出部３４ｂとを形成することで、天井レール３に対するパネル２の取り付け及び取り外しを容易に行うことができる。
【００５３】
また、取付部材２ｂの支持部２４ｂ及び支持部２４ｃをパネル本体２ａの全長にわたらせることで、パネル着脱式防煙垂壁１から煙が漏れ出すのを防止することができる。
【００５４】
また、壁面Ｗ１又は壁面Ｗ２とパネル２との間に端部方立４を配置し、隣接するパネル２の間に中間方立５を配置することで、パネル着脱式防煙垂壁１を設置した後は、この端部方立４及び中間方立５を取り外すことで、パネル２を傾かせる空間を確保することができるため、天井レール３からパネル２を容易に取り外すことができる。
【００５５】
以上、本発明の好適な実施形態について説明したが、本発明は上記実施形態に限定されるものではない。
【００５６】
例えば、上記実施形態において、取付部材は、外側枠体２２の上面に固定される断面略コ字状の部材であるものとして説明したが、パネルから離間する方向に傾斜しながらパネルの上端部から下方に延びる部材であれば、如何なる部材であってもよい。例えば、パネル（外側枠体２２）の表裏面に固定される一対の平板状の部材であってもよい。
【００５７】
また、上記実施形態では、パネル２の側方に端部方立４及び中間方立５を配置するものとして説明したが、天井レール３からパネル２を取り外す際に、パネル２を傾かせることができれば、特に端部方立４及び中間方立５の何れか一方又は双方を設けなくてもよい。
【符号の説明】
【００５８】
１…パネル着脱式防煙垂壁、２…パネル、２ａ…パネル本体（パネル）、２ｂ…取付部材、３…天井レール、４…端部方立、５…中間方立、６…下側支持部材、１１…特開平、２１…内側枠体、２２…外側枠体、２３…ガラス繊維強化樹脂シート、２４ａ…固定部、２４ｂ…支持部、２４ｃ…支持部、２５…ネジ、３１…固定部、３２ａ…側壁部、３２ｂ…側壁部、３３ａ…下側突出部、３３ｂ…下側突出部、３４ａ…上側突出部、３４ｂ…上側突出部、Ｃ…天井面、Ｗ１…壁面、Ｗ２…壁面、Ｓ…挿入空間。
【図１】
0005915136.tif 000002
【図２】
0005915136.tif 000003
【図３】
0005915136.tif 000004
【図４】
0005915136.tif 000005
【図５】
0005915136.tif 000006
【図６】
0005915136.tif 000007
【図７】
0005915136.tif 000008